(57)【要約】【課題】  スピーカに発光する視覚効果を付与できる発光スピーカ単体構造を提供する。【解決手段】  サポート・フレーム１１の前端部に拡大口１３を形成すると共に、その後端部に磁気性部材１５とサウンド・リング１７を設け、且つバイブレーション・ダイヤフラム１９を拡大口１３内に配置すると共に、サウンド・リング１７を覆い、また、ダイヤフラム盤体２１を拡大口１３内に配置し、その内周縁部をサウンド・リング１７と粘着し合い、また、バイブレーション・ダイヤフラム１９の内部に変圧器１８を設け、また、エレクトロ・ルミネセンス・ピース２３をバイブレーション・ダイヤフラム１９に貼り付け、また、金属ワイヤ３０によって変圧器１８を介してサウンド・リング１７と接続する。【選択図】      図３
0003102458.tif 000002
【実用新案登録請求の範囲】
【請求項１】
前方に拡大口が形成されると共に、後方に磁気性部材とサウンド・リングが設けられる、サポート・フレームと、
前記拡大口内に配置され、且つ前記サウンド・リングを覆う、バイブレーション・ダイヤフラムと、
前記拡大口内に設けられ、その内周縁部が前記サウンド・リングと粘着し合う、ダイヤフラム盤体と、
前記バイブレーション・ダイヤフラムに貼り付けられ、前記サウンド・リングと連接するエレクトロ・ルミネセンス・ピースとを備えることを特徴とする発光スピーカ単体構造。
【請求項２】
前記エレクトロ・ルミネセンス・ピースが文字や模様などに形成されることを特徴とする請求項１に記載の発光スピーカ単体構造。
【請求項３】
前記エレクトロ・ルミネセンス・ピースと前記サウンド・リングとの間に連接される変圧器をさらに有することを特徴とする請求項１に記載の発光スピーカ単体構造。
【請求項４】
前記変圧器が前記バイブレーション・ダイヤフラム内に設けられることを特徴とする請求項３に記載の発光スピーカ単体構造。
【請求項５】
前方に拡大口が形成されると共に、後方に磁気性部材とサウンド・リングが設けられる、サポート・フレームと、
前記拡大口内に配置され、且つ前記サウンド・リングを覆う、バイブレーション・ダイヤフラムと、
前記拡大口内に設けられ、その内周縁部が前記サウンド・リングと粘着し合う、ダイヤフラム盤体と、
前記ダイヤフラム盤体に貼り付けられ、前記サウンド・リングと連接する、エレクトロ・ルミネセンス・ピースとを備えることを特徴とする発光スピーカ単体構造。
【請求項６】
前記エレクトロ・ルミネセンス・ピースが文字や模様などに形成されることを特徴とする請求項５に記載の発光スピーカ単体構造。
【請求項７】
前記エレクトロ・ルミネセンス・ピースの貼り付け面積が前記ダイヤフラム盤体の一部または全体に設定されることを特徴とする請求項５に記載の発光スピーカ単体構造。
【請求項８】
前記エレクトロ・ルミネセンス・ピースと前記サウンド・リングとの間に連接される変圧器をさらに有することを特徴とする請求項５に記載の発光スピーカ単体構造。
【請求項９】
前記変圧器が前記バイブレーション・ダイヤフラム内に設けられることを特徴とする請求項８に記載の発光スピーカ単体構造。
【請求項１０】
前方に拡大口が形成されると共に、後方に磁気性部材とサウンド・リングが設けられる、サポート・フレームと、
前記拡大口内に配置され、且つ前記サウンド・リングを覆う、バイブレーション・ダイヤフラムと、
前記拡大口内に設けられ、その内周縁部が前記サウンド・リングと粘着し合うダイヤフラム盤体と、
前記サポート・フレームに環状になるように設けられる、粘着リングと、
前記粘着リングに粘着される平面バイブレーション・ダイヤフラムと、
前記平面バイブレーション・ダイヤフラムに貼り付けられ、前記サウンド・リングと連接する、エレクトロ・ルミネセンス・ピースとを備えることを特徴とする発光スピーカ単体構造。
【請求項１１】
前記エレクトロ・ルミネセンス・ピースが文字や模様などに形成されることを特徴とする請求項１０に記載の発光スピーカ単体構造。
【請求項１２】
前記エレクトロ・ルミネセンス・ピースと前記サウンド・リングとの間に連接される変圧器をさらに有することを特徴とする請求項１０に記載の発光スピーカ単体構造。
【請求項１３】
前記変圧器が前記バイブレーション・ダイヤフラム内に設けられることを特徴とする請求項１２に記載の発光スピーカ単体構造。
【考案の詳細な説明】
【技術分野】
【０００１】
本考案は、発光スピーカ単体構造に係わり、特にサウンド・ボックス内におけるスピーカ単体に対し実行される改良構造に関するものである。
【背景技術】
【０００２】
生活品質の向上にしたがって、人間達がますます生活の趣味性に注目するようになっている。その中、聴覚を楽しむことが大切な役を担当しており、各種の音楽を聴取することが適当に現代人間のストレスを解消することができる。そのため、マーケットにおいては、各種のそれぞれ異なる用途に利用される異なる分野のスピーカが開発されており、全体的に論ずる場合、従来のスピーカ単体の基本的な構成は、図１に示すように、主にサポート・フレーム７１と、バイブレーション・ダイヤフラム６９と、ダイヤフラム盤体８２とを備えており、その中、サポート・フレーム７１の先端部に拡大口７３が形成され、また、その後端部には磁気性部材７５と、サウンド・リング７７が設けられ、バイブレーション・ダイヤフラム７９がサウンド・リング７７をカバーし、また、ダイヤフラム盤体８１が拡大口７３内に設けられ、その内周縁部とサウンド・リング７７とが相互に粘着し合い、また、スピーカの発声原理について、音声周波数信号がサウンド・リング７７に入力後に、サウンド・リング７７が磁気性部材７５において前後に移動し、それによってバイブレーション・ダイヤフラム７９とダイヤフラム８１にバイブレーションを生成させるように連動し、それによって音波の効果を生じさせる。
【０００３】
しかしながら、一般のスピーカは聴覚の効果を有するが、その外見では、視覚効果を生成して消費者の注目を受けることができない。また、消費者の視覚効果に対する要求について、ランプ・ライトの変化が最も注目される。発光素子については、近年、注目を受けるものには、エレクトロ・ルミネセンス（ＥＬ）という物品があり、それには多くの優れた点を有し、それは電気エネルギーを光線になるよう転換を実行する現象である。しかしながら、その転換過程中において発熱はしないため、“冷やし光”と称され、その物品には、軽薄的で、発光均一的で、可とう性に富み、各種の形状に作製でき、発熱せず、紫外線も無く、消費電力が少なく、バイブレーションと湿気を防止でき、且つストレスに耐えられるなどの多くの優れた点を有する。
【０００４】
また、スピーカの響き曲線について、図２Ａに示すように、その仕事周波数は大体５０Ｈｚ〜２０ＫＨｚの間にあり、また、１．２ＫＨｚ〜１．４ＫＨｚの範囲は人間の聴覚の最も敏感的な地帯であり、そのため、スピーカの周波数響き曲線も大体このような範囲に集中される。また、エレクトロ・ルミネセンスの響き曲線は、図２Ｂに示すように、１ＫＨｚの周波数の程度で優れた明るさを得られ、これらの説明から分かるように、音声周波数信号がエレクトロ・ルミネセンスを作用させて発光させることができるが、現有のスピーカの構造には、スピーカとエレクトロ・ルミネセンスとを結合使用するものは未だにない。
【考案の開示】
【考案が解決しようとする課題】
【０００５】
本考案は、スピーカに発光する視覚効果を付与できる発光スピーカ単体構造を提供することをその主要な解決しようとする課題とする。
【課題を解決するための手段】
【０００６】
前記の目的を図るために、本考案は、前方に拡大口が形成されると共に、後方に磁気性部材とサウンド・リングが設けられる、サポート・フレームと、前記拡大口内に配置され、且つ前記サウンド・リングを覆う、バイブレーション・ダイヤフラムと、前記拡大口内に設けられ、その内周縁部が前記サウンド・リングと粘着し合う、ダイヤフラム盤体と、前記バイブレーション・ダイヤフラムに貼り付けられ、前記サウンド・リングと連接する、エレクトロ・ルミネセンス・ピースと、を備えており、前記エレクトロ・ルミネセンス・ピースによって音声周波数信号のサウンド・リングに対する入力することにしたがって発光する視覚効果を作り出すことを特徴とする、発光スピーカ単体構造を提供する。
【０００７】
また、前記の目的を図るために、本考案は、前方に拡大口が形成されると共に、後方に磁気性部材とサウンド・リングが設けられる、サポート・フレームと、前記拡大口内に配置され、且つ前記サウンド・リングを覆う、バイブレーション・ダイヤフラムと、前記拡大口内に設けられ、その内周縁部が前記サウンド・リングと粘着し合う、ダイヤフラム盤体と、前記ダイヤフラム盤体に貼り付けられ、前記サウンド・リングと連接する、エレクトロ・ルミネセンス・ピースとを備えており、前記エレクトロ・ルミネセンス・ピースによって音声周波数信号のサウンド・リングに対する入力することにしたがって発光する視覚効果を作り出すことを特徴とする発光スピーカ単体構造を提供する。
【０００８】
また、前記の目的を図るために、本考案は、前方に拡大口が形成されると共に、後方に磁気性部材とサウンド・リングが設けられる、サポート・フレームと、前記拡大口内に配置され、且つ前記サウンド・リングを覆う、バイブレーション・ダイヤフラムと、前記拡大口内に設けられ、その内周縁部が前記サウンド・リングと粘着し合う、ダイヤフラム盤体と、前記サポート・フレームに環状になるように設けられる、粘着リングと、前記粘着リングに粘着される平面バイブレーション・ダイヤフラムと、前記平面バイブレーション・ダイヤフラムに貼り付けられ、前記サウンド・リングと連接する、エレクトロ・ルミネセンス・ピースと、を備えており、前記エレクトロ・ルミネセンス・ピースによって音声周波数信号のサウンド・リングに対する入力することにしたがって発光する視覚効果を作り出すことを特徴とする、発光スピーカ単体構造を提供する。
【０００９】
本考案の特徴と技術手段をさらに解明するために、以下に添付図面を参照しながら本考案の優れた実施の形態を詳細的で具体的に説明するが、それらの説明による具体的な構造は単に本考案の実施可能なある実施例に過ぎず、本考案を狭義的に定義するものではないことは言うまでもない。
【考案を実施するための最良の形態】
【００１０】
図３と図４に示すのは、それぞれ本考案の第一の実施の形態を示す斜視図と断面図であり、本考案は、一種の発光スピーカ単体構造を提供し、それには、主に、サポート・フレーム１１と、バイブレーション・ダイヤフラム１９と、ダイヤフラム盤体２１と、エレクトロ・ルミネセンス・ピース２３などの部材からなるものである。
【００１１】
その中、サポート・フレーム１１の前端部に拡大口１３が形成され、その後端部に磁気性部材１５とサウンド・リング１７が設けられ、バイブレーション・ダイヤフラム１９が拡大口１３内に配置されると共に、サウンド・リング１７を覆い、また、ダイヤフラム盤体２１が拡大口１３内に配置され、その内周縁部がサウンド・リング１７と粘着し合い、また、バイブレーション・ダイヤフラム１９の内部に変圧器１８が設けられ、また、エレクトロ・ルミネセンス・ピース２３がバイブレーション・ダイヤフラム１９に貼り付けられ、且つ金属ワイヤ３０によって変圧器１８を介してサウンド・リング１７と接続され、エレクトロ・ルミネセンス・ピース２３の形状として文字や模様などに形成されてもよく、また、変圧器１８の一次側コイルがサウンド・リング１７に接続され、その二次側コイルが金属ワイヤ３０と接続され、変圧器１８の作用によってサウンド・リング１７に入力される音声周波数信号をエレクトロ・ルミネセンス・ピース２３にノーマルに発光させることができる駆動信号に転換する。
【００１２】
そのため、スピーカのサウンド・リング１７が音声周波数信号の入力を受け取る後、サウンド・リング１７を磁気性部材１５において前後に移動させることが出来ると共に、バイブレーション・ダイヤフラム１９とダイヤフラム盤体２１を連動してバイブレーションさせることも出来、音波の効果を生成できるほか、音声周波数信号が変圧器１８を介してエレクトロ・ルミネセンス・ピース２３に送信され、その音声周波数信号によってエレクトロ・ルミネセンス・ピース２３を連動して発光させ、そのエレクトロ・ルミネセンス・ピース２３の発光する明るさが音声周波数信号の周波数にしたがって変化する。
【００１３】
このように、本考案は、スピーカに聴覚効果を付与できると共に、視覚効果をも提供でき、また、エレクトロ・ルミネセンス・ピース２３がバイブレーション・ダイヤフラム１９に貼り付けられるので、バイブレーション・ダイヤフラム１９によって音声の発生にしたがって踊ることが出来るようになり、動的視覚効果を提供でき、消費者の注目を注げることができ、また、そのエレクトロ・ルミネセンス・ピース２３の形状としていずれの文字や模様などに変化させることが出来、第一の実施の形態を挙げて言う場合、例えば、音声の出力にしたがってぴかぴかする星屑の造形を採用でき、視覚の趣味性を向上できる。
【００１４】
図５に示すのは、本考案の第二の実施の形態を示す断面図であり、その場合では、エレクトロ・ルミネセンス・ピース２５をダイヤフラム盤体２１の一部に貼り付けられてもよく、それも同じように、第一の実施の形態の効果を達成できる。また、図６に示すように、エレクトロ・ルミネセンス・ピース２７を拡大してダイヤフラム盤体２１に貼り付けて、大面積の発光表示を実行すると、さらに強烈的な視覚効果を提供できる。
【００１５】
図７に示すのは、本考案の第四の実施の形態を示す断面図であり、それは、サポート・フレーム１１の外周縁部に環状になるように粘着リング３１を貼り付け、その粘着リング３１の外側に平面バイブレーション・ダイヤフラム３３が貼り付けられ、且つエレクトロ・ルミネセンス・ピース２９を平面バイブレーション・ダイヤフラム３３の外側に貼り付け、金属ワイヤ３０によって変圧器１８を介してサウンド・リング１７と接続すると、発光可能な平面スピーカを形成できる。こうする場合では、エレクトロ・ルミネセンス・ピース２９を大きい面積の平面バイブレーション・ダイヤフラムにおいてさらに複雑な文字または模様によってアピールさせることができ、更に眩しい視覚効果を生成できる。
【産業上の利用可能性】
【００１６】
そのため、本考案の“発光スピーカ単体構造”による場合、次のような多くの産業の利用価値を有する。
（１）エレクトロ・ルミネセンス・ピースがスピーカの音声発生時に発光状態を呈することができ、且つそのエレクトロ・ルミネセンス・ピースの発光する明るさが音声周波数信号の周波数の変化にしたがって変更できる。
（２）余分にエレクトロ・ルミネセンス・ピース用の駆動電気回路を設ける必要はなく、そのままで、音声周波数信号の響き曲線がエレクトロ・ルミネセンス・ピースの響き曲線とマッチングすることによって、且つ変圧器を前記エレクトロ・ルミネセンス・ピースとサウンド・リングとの間に接続することによって、音声周波数信号をサウンド・リングに入力される後に、ついでに前記エレクトロ・ルミネセンス・ピースに発光させるように連帯作用する。
（３）スピーカに同時に聴覚効果と視覚効果との二つの効果の出力を付与でき、且つその視覚効果が動的な方式によってアピールできる。
【００１７】
また、前記に説明した具体的な構造は、単に本考案の実施可能な実施例に過ぎず、本考案を拘束するものではなく、いずれの当該分野における技術者が本考案の要旨に基づいて改造や変更や一部転用を実行できるが、本考案と相同の効果を有する場合では、やはり本考案の権利主張範囲内に帰すべきことは言うまでもない。
【図面の簡単な説明】
【００１８】
【図１】従来のスピーカの構造を示す断面図である。
【図２Ａ】従来のスピーカの響き曲線を示す説明図である。
【図２Ｂ】エレクトロ・ルミネセンスの響き曲線を示す説明図である。
【図３】本考案の第一の実施の形態を示す斜視図である。
【図４】本考案の第一の実施の形態を示す断面図である。
【図５】本考案の第二の実施の形態を示す断面図である。
【図６】本考案の第三の実施の形態を示す断面図である。
【図７】本考案の第四の実施の形態を示す断面図である。
【符号の説明】
【００１９】
１１  サポート・フレーム
１３  拡大口
１５  磁気性部材
１８  変圧器
１９  バイブレーション・ダイヤフラム
２１  ダイヤフラム盤体
２３、２５、２７、２９  エレクトロ・ルミネセンス・ピース
３０  金属ワイヤ
３１  粘着リング
３３  平面バイブレーション・ダイヤフラム
【図１】
0003102458.tif 000003
【図２Ａ】
0003102458.tif 000004
【図２Ｂ】
0003102458.tif 000005
【図３】
0003102458.tif 000006
【図４】
0003102458.tif 000007
【図５】
0003102458.tif 000008
【図６】
0003102458.tif 000009
【図７】
0003102458.tif 000010